(57)【要約】本発明は、インターネット及び電気通信網に接続可能な遠隔装置（１）により情報通信機能を活性化する方法及び装置に関し、前記装置は、インターネットプロトコル実行手段、電気通信網で物理信号を有効に伝送する信号処理手段及び着呼を検出し得る電気通信網とのインタフェースを含む。方法は、局所又は遠隔の事象によって接続可能な装置の活性化ステップ、及び前記活性化ステップに応答したインターネットサービスプロバイダＩＳＰへの接続を含む。方法は、接続ステップ中にサービスプロバイダによって割り当てられる一時ＩＰアドレス読み取りステップ更に含む。
2004523960.tif 000002
【特許請求の範囲】
【請求項１】
［電話線又はＧＳＭ網のような無線電話網により］インターネット及び電気通信網に接続可能な遠隔装置（１）［例えば電気メータ又は水道メータ、自動分配器又はプログラム可能なオートマトン］により情報通信機能を活性化する方法であって、前記装置は、インターネットプロトコル実行手段、電気通信網で物理信号を有効に伝送する信号処理手段及び着呼を検出し得る電気通信網とのインタフェースを含み、方法は、局所又は遠隔の事象［例えば通話又は待機］によって接続可能な前記装置を活性化するステップ、及び前記活性化ステップに応答したインターネットサービスプロバイダＩＳＰへの接続を含む方法において、方法は、接続ステップ中にサービスプロバイダによって割り当てられる一時ＩＰアドレス読み取りステップ、及び：
−インターネット端末又は情報処理システムに、前記一時ＩＰアドレスを伝送するステップであって、前記遠隔装置、前記インターネット端末又は前記情報処理システムによって局所的に蓄積されたウェブページの読み取りステップが後に続くステップか、
−一時ＩＰアドレスの予めの伝送なしに、前記遠隔装置、及びインターネット端末又は情報処理システムの間を（発信及び／又は受信の）電子メールによって情報を直接伝送するステップを含むことを特徴とする方法。
【請求項２】
遠隔着呼装置（１）による初期検査ステップを含むことを特徴とする請求項１及び２に記載の情報通信機能を活性化する方法。
【請求項３】
遠隔着呼装置（１）による前記検査ステップは、着呼の識別子［例えば「呼び出し側ＩＤ」又は電話番号］が、予め記録された識別子に対応するかを検査することからなることを特徴とする請求項１に記載の情報通信機能を活性化する方法。
【請求項４】
サービスプロバイダへの接続を開始する事象は、タイマであることを特徴とする請求項１に記載の情報通信機能を活性化する方法。
【請求項５】
装置は、予め記録された少なくとも１つの部分、及び前記装置に結合した測定手段によって更新される変項を含む少なくとも１つの部分を含むページを作成するウェブページサーバを含むことを特徴とする請求項１から４のいずれかに記載の情報通信機能を活性化する方法。
【請求項６】
装置は、電気通信網に対する接続、及びインターネットプロトコルの少なくとも一部に従ったデータ交換のためのＤＳＰ（デジタル信号プロセッサ）タイプの構成を含むインターネット集中モノリシック電子部品を含むことを特徴とする請求項１から５のいずれかに記載の情報通信機能を活性化する方法。
【請求項７】
インターネットへのアクセス及びインターネットプロトコル実行手段、［電話線又はＧＳＭ網のような無線電話網による］電気通信網へのアクセス手段、及び着呼を検出し得る電気通信網とのインタフェース、並びに着呼検出及びインターネットサービスプロバイダＩＳＰへの接続活性化手段、及び接続ステップ中にサービスプロバイダによって割り当てられる一時ＩＰアドレスを記録し、かつ遠隔インターネット端末に前記一時ＩＰアドレスを伝送するメモリを含むことを特徴とする請求項１に記載の方法に従った情報通信機能を活性化する装置。
【請求項８】
少なくとも、１つのウェブページの要素を記録するメモリを含むことを特徴とする請求項７に記載の情報通信機能を活性化する装置。
【請求項９】
ランダムアクセスメモリに記録された要素、及び装置に結合又は統合されるデータ取得手段に由来する要素を含むウェブページを作成する手段を含むことを特徴とする請求項７に記載の情報通信機能を活性化する装置。
【請求項１０】
電気通信網に対する接続、及びインターネットプロトコルの少なくとも一部に従ったデータ交換のためのＤＳＰ（デジタル信号プロセッサ）タイプの構成を含むインターネット集中モノリシック電子部品を含むことを特徴とする請求項７から９のいずれかに記載の情報通信機能を活性化する装置。
【発明の詳細な説明】
【技術分野】
【０００１】
本発明は、インターネットを経由して情報を伝送する遠隔手段によって活性化され得る装置に関する。
【背景技術】
【０００２】
先行技術において、インタフェースを経由して電話網に接続され、かつ呼び出し信号を分析し、かつ前記分析に応じた接続を確立する取得ユニットを含む端末を記載した米国特許第６０９４４７７号明細書が知られている。
【０００３】
国際公開第００／１３４０３号パンフレットは、請求書の記録及び提示をリアルタイムで確実に行うために、インターネットのようなネットワークに応じて電話により呼び戻し行うためのシステム及び方法に関する。システムは、ウェブサーバ、クライアントコンピュータ、企業データベース及び通信整流子を含む。方法は、次の段階を含む：すなわち、ネットワークを経由した電子サービスプロバイダでの電子記録、唯一の呼び戻し確立電話番号のクライアントへの付与、呼び戻しの確立、通話料金の計算、及びリアルタイムでの料金に関する情報のクライアントへの提示である。ネットワーク活性化により、クライアントが、呼び戻しを申し込むこと及び登録後、それを直ちに行うことが可能になる。料金に関する情報は、通話の全体料金の様々な要素に関連する料金表（電話料金表）を使用することにより、クライアントに応じて個人の好みに合わせられ得る。
【０００４】
国際公開第００／００９０８号パンフレットは、遠隔で、かつウェブページのサービスプロバイダと無関係に蓄積されたウェブページへのオンデマンドアクセスを可能にするサーバに関する。ウェブページのサービスプロバイダは、より詳細なウェブページへのレファレンスを含む索引を提供する。より詳細なウェブページは、ウェブページを提供する第三者の所に、例えばクライアントの所に位置するコンピュータに局所的に蓄積される。ウェブページのサービスのユーザが、より詳細なウェブページの要求を開始する時、ウェブページサービスは、クライアントの所に位置するコンピュータに電話をかけ、要求されたウェブページをダウンロードし、かつそれをユーザに提供する。索引は、地理的情報に基づいても良く、このようにしてクライアント及びユーザの場所のパラメータに基づき、ウェブページへのアクセスを提供する。
【０００５】
国際公開第９９／２７６９７号パンフレットは、クライアントが電話ゲートウェイのサービスプロバイダによって提案された電話ゲートウェイを使用することが許可されているか検査することを可能にする装置及び方法に関する。この発明によれば、クライアントは、ウェブサーバのウェブページに対する、加入者Ｂの電話番号を含むリンクを活性化し；クライアントが電話ゲートウェイを使用することが許可されているか、検査機能が検査し；かつ前記検査に応じて、通話がゲートウェイによって確立される。
【発明の開示】
【発明が解決しようとする課題】
【０００６】
本発明の目的は、タイマ又は着呼のような事象による活性化により、ウェブページ、電子メール又はＦＴＰ転送の好ましい形状でのデータ遠隔伝送を可能にすることである。用途は、特にメータ、自動分配装置、又は常設ＩＰアドレスを持たない点検若しくはモニタ装置のデータのバッチアップロードに関する。
【課題を解決するための手段】
【０００７】
本発明は、最も一般的な意味により、［電話線又はＧＳＭ網のような無線電話網により］インターネット及び電気通信網に接続可能な遠隔装置［例えば電気メータ又は水道メータ、自動分配器又はプログラム可能なオートマトン］により情報通信機能を活性化する方法であって、前記装置は、インターネットプロトコル実行手段、電気通信網で物理信号を有効に伝送する信号処理手段及び着呼を検出し得る電気通信網とのインタフェースを含み、方法は、局所又は遠隔の事象［例えば通話又は待機］によって接続可能な前記装置を活性化するステップ、及び前記活性化ステップに応答したインターネットサービスプロバイダＩＳＰへの接続を含む方法において、方法は、接続ステップ中にサービスプロバイダによって割り当てられる一時ＩＰアドレス読み取りステップ、及び：
−インターネット端末又は情報処理システムに、前記一時ＩＰアドレスを伝送するステップであって、前記遠隔装置、前記インターネット端末又は前記情報処理システムによって局所的に蓄積されたウェブページの読み取りステップが後に続くステップか、
−一時ＩＰアドレスの予めの伝送なしに、前記遠隔装置、及びインターネット端末又は情報処理システムの間を（発信及び／又は受信の）電子メールによって情報を直接伝送するステップを含むことを特徴とする方法に関する。
【０００８】
好適には、方法は、遠隔着呼装置による初期検査ステップを含む。
【０００９】
応用例によれば、遠隔着呼装置による検査ステップは、着呼の識別子［例えば「呼び出し側ＩＤ」又は電話番号］が、予め記録された識別子に対応するかを検査することからなる。
【００１０】
特殊な実施態様によれば、サービスプロバイダへの接続を開始する事象は、タイマである。
【００１１】
好ましくは、装置は、予め記録された少なくとも１つの部分、及び前記装置に結合した測定手段によって更新される変項を含む少なくとも１つの部分を含むページを作成するウェブページサーバを含む。
【００１２】
好ましい実施態様によれば、装置は、電気通信網に対する接続、及びプロトコルの少なくとも一部に従ったデータ交換のためのＤＳＰ（デジタル信号プロセッサ）タイプの構成を含むインターネット集中モノリシック電子部品を含む。
【００１３】
本発明は、インターネットへのアクセス及びインターネットプロトコル実行手段、［電話線又はＧＳＭ網のような無線電話網による］電気通信網へのアクセス手段、及び着呼を検出し得る電気通信網とのインタフェース、並びに着呼検出及びインターネットサービスプロバイダＩＳＰへの接続活性化手段、並びに場合により、接続ステップ中にサービスプロバイダによって割り当てられる一時ＩＰアドレスを記録し、かつ遠隔インターネット端末又は情報処理システムに前記一時ＩＰアドレスを伝送するメモリを含む装置にも同様に関する。
【００１４】
好ましくは、装置は少なくとも、１つのウェブページの要素を記録するメモリを含む。
【００１５】
応用例によれば、ランダムアクセスメモリに記録された要素、及び装置に結合又は統合されるデータ取得手段に由来する部品を含むウェブページを作成する手段を含む。
【００１６】
本発明は、添付図面を参照する、以下に続く非限定的な実施例の記載を読めば、より良く理解されるであろう。
【発明を実施するための最良の形態】
【００１７】
図１は、下記の様々な装置間のデータフローを表す：
−遠隔装置（１）
−インターネットサービスプロバイダのサーバ（２）
−制御ステーション（３）。
【００１８】
遠隔装置（１）は、一方で電話網にアクセスし、かつ他方でインターネットにアクセスするインタフェースを含む装置である。これら２つのネットワークへのアクセス手段は、先行技術の一部をなすので、本発明の枠内では詳細に記載しない。
【００１９】
遠隔装置は、遠隔で検針し得る電気又はガスメータ、自動分配器、若しくはプログラム可能なオートマトン、又は情報の非局在化回収若しくは検査を必要とするあらゆる計測装置からなり得る。好適には、かかる装置は、電気通信網に対する接続、及びＤＳＰ（デジタル信号プロセッサ）タイプの構成を含むインターネットプロトコルの少なくとも一部に従ったデータ交換のための集中モノリシック電子部品を備える。好ましくは、本発明による部品は、電気通信網との連結のために、アナログ／デジタル変換部品を更に含む。この部品は、例えば、減少したインターネットプロトコルを実行するプログラムを更にロードする、モデム機能を含むＤＳＰ部品である。
【００２０】
デジタル信号を処理し、かつ中間データ、及び中間デジタルデータを記憶させるために分割されたＲＡＭ（ランダムアクセスメモリ）の集合を生じさせるための集中プロセッサを含む部品のことである。
【００２１】
モデムプログラムは、インターネットアクセスポイント（２）に装置を連結する物理ネットワークへの接続を制御する。インターネットプロトコルを実行するプログラムは、インターネットプロトコルアセンブリの低位レイヤ（ＰＰＰ、ＩＰ、ＴＣＰ）及び高位レイヤ（ＨＴＴＰ、ＳＭＴＰ、ＰＯＰ３、ＦＴＰ）を同時に処理する。
【００２２】
従ってＤＳＰ内にロードされたプログラムは、次の中の、幾つかのプロトコルを含む：
ＰＰＰ、
ＩＰ、
ＴＣＰ、
簡単なウェブサーバを点検する、ＨＴＴＰの一部、
電子メール送信用のＳＭＴＰ、
メッセージ受信用のＰＯＰ３、
ファイルダウンロード用のＦＴＰ、
テルネット。
【００２３】
ＤＳＰの低い容量のメモリ内でこれらのプログラムの実行を可能にするために、データは、複数の作業メモリの使用を避ける特殊なアルゴリズムにより処理される。
【００２４】
装置は、常設ＩＰアドレスを有さない。それは、制御ステーション（３）によって発生する着呼によって活性化される（矢印４）。
【００２５】
装置（１）は、呼び出し側がアクセス権を有するか検査するために、着呼、例えば呼び出し側ＩＤ識別子又は呼び出し信号において利用可能なあらゆる他の情報を検査する。
【００２６】
肯定的な検査の場合に、装置は、サービスプロバイダのサーバ（２）へ接続され、セッションを開く（矢印５）。
【００２７】
サービスプロバイダは、遠隔装置（１）に伝送される、一時ＩＰアドレスを割り当てる。
【００２８】
その場合、次の２つの利用のケースが可能である：
−第１のケースで、この情報は、電話連絡及びインターネットにより、制御ステーション（３）に伝達される（矢印５及び６）。その場合、制御ステーション（３）は、固定情報及び可変情報を含む、遠隔装置（１）によって記録されるウェブページにアクセスするために、サービスプロバイダ（２）を経由して装置（１）のウェブページのサーバにアクセスすることができる。
−第２のケースで、データは、電話連絡及びインターネットにより、装置（１）及び制御ステーション（３）の間を（発信及び／又は受信の）電子メールによって直接伝送される（矢印５及び６）。
【図面の簡単な説明】
【００２９】
【図１】流れ図を表す。
【符号の説明】
【００３０】
１  遠隔装置
【図１】
2004523960.tif 000003
【国際公開パンフレット】
2004523960.tif 000004
2004523960.tif 000005
2004523960.tif 000006
2004523960.tif 000007
2004523960.tif 000008
2004523960.tif 000009
2004523960.tif 000010
2004523960.tif 000011
2004523960.tif 000012
2004523960.tif 000013
2004523960.tif 000014
2004523960.tif 000015
2004523960.tif 000016
【国際公開パンフレット（コレクトバージョン）】
2004523960.tif 000017
2004523960.tif 000018
【国際調査報告】
2004523960.tif 000019
2004523960.tif 000020
2004523960.tif 000021
2004523960.tif 000022
2004523960.tif 000023
2004523960.tif 000024